(57)【要約】【課題】床面に加工を施すことなく吊戸の揺れを極力抑えて吊戸同士或いは吊戸と固定の扉パネルの相互の摺動案内を確保した複数の扉パネルの下レール構造を提供すること。【解決手段】複数の扉パネル２、３から成り、これら扉パネル２、３の少なくとも１つが上レール５により上部が吊り下げ支持された吊戸１で構成され、吊戸１の移動により開閉される扉パネル２、３の下レール構造であって、隣接する２枚の扉パネル２、３同士は、それぞれ下端に幅方向に亘ってガイドレール９、１０が取り付けられ、これらガイドレール９、１０は互いに、開閉方向に対しては摺動自在に嵌合させて、複数の扉パネルの下レール構造を構成する。【選択図】  図１
2004238819.tif 000002
【特許請求の範囲】
【請求項１】
複数の扉パネルから成り、該扉パネルの少なくとも１つが上レールにより上部が吊り下げ支持された吊戸で構成され、該吊戸の移動により開閉される複数の扉パネルの下レール構造であって、隣接する２枚の扉パネル同士はそれぞれ下端に幅方向に亘ってガイドレールが取り付けられ、両ガイドレールは互いに、開閉方向に対しては摺動自在に嵌合していることを特徴とする複数の扉パネルの下レール構造。
【請求項２】
前記扉パネルの少なくとも１つが固定パネルである請求項１に記載の複数の扉パネルの下レール構造。
【請求項３】
前記摺動自在の両ガイドレール間に滑動スペーサを配置した請求項１または２に記載の複数の扉パネルの下レール構造。
【請求項４】
前記請求項１ないし３の何れかに記載の複数の扉パネルの下レール構造を備えていることを特徴とする家具の扉パネル。
【発明の詳細な説明】
【０００１】
【発明の属する技術分野】
本発明は、複数の扉パネルから成り、該扉パネルの少なくとも１つが上レールにより上部が吊り下げ支持された吊戸で構成され、該吊戸の移動により開閉される複数の扉パネルの下レール構造、並びにこれら下レール構造を備えた家具の扉パネルに関する。
【０００２】
【従来の技術】
従来、複数の扉パネルを吊戸で構成した下レール構造は、その吊戸の下部に滑車を取り付け、これら滑車を吊戸の移動範囲に亘って固定の支持体に案内支持させたもの（特許文献１参照）、あるいは吊戸の下端に凹溝の案内枠を設け、この案内枠内面に接する回転自在のローラを軸支した振れ留めを通路床面に固定したもの（特許文献２参照）が知られている。
【０００３】
【特許文献１】
特開平１０−３１７８００号公報（段落００１９、図１、２）
【特許文献２】
登録実用新案第３０５８４５７号公報（段落０００５−０００６、図１、２）
【０００４】
【発明が解決しようとする課題】
しかしながら、上記特許文献１又は２に記載の吊戸の下レール構造は、いずれも下面固定部に吊戸の移動案内のための支持体や振れ留めを設けたもので、平らな床面を加工して吊戸の案内支持のための部品を取り付けなければならず、床面の加工工程が煩雑であるだけでなく、部品取付後においても床面に段差ができ、物の出し入れや掃除等が不便であった。
【０００５】
本発明は、このような状況に鑑みてなされたものであり、床面に加工を施すことなく吊戸の揺れを極力抑えて吊戸同士或いは吊戸と固定の扉パネルの相互の摺動案内を確保した複数の扉パネルの下レール構造を提供することを目的とするものである。
【０００６】
【課題を解決するための手段】
上記課題を解決するために、本発明の複数の扉パネルの下レール構造は、複数の扉パネルから成り、該扉パネルの少なくとも１つが上レールにより上部が吊り下げ支持された吊戸で構成され、該吊戸の移動により開閉される複数の扉パネルの下レール構造であって、隣接する２枚の扉パネル同士はそれぞれ下端に幅方向に亘ってガイドレールが取り付けられ、両ガイドレールは互いに、開閉方向に対しては摺動自在に嵌合していることを特徴としている。
この特徴によれば、吊戸の下端は他の扉パネルの下端とガイドレールによって摺動自在に嵌合しているので、床面に案内支持のためのものは何ら構築する必要がなく、吊戸の揺れも他の扉パネルの重量で抑止される。
【０００７】
本発明の複数の扉パネルの下レール構造において、前記扉パネルの少なくとも１つが固定パネルであることが好ましい。
このようにすれば、戸袋のごとき固定の扉パネルと吊戸の関係においても適用でき、吊戸の揺れは固定の扉パネルにより、一層抑止される。
【０００８】
本発明の複数の扉パネルの下レール構造において、前記摺動自在の両ガイドレール間に滑動スペーサを配置することが好ましい。
このようにすれば、扉パネル同士の摺動ガタをなくし、相互の摺動摩擦を低減できる。
【０００９】
本発明の家具の扉パネルは、前記した複数の扉パネルの下レール構造を備えていることを特徴としている。
この特徴によれば、部屋の間仕切り扉だけでなく扉付きのキャビネット等の家具類の扉にも、下面に加工を施さない吊戸を有する扉パネルとして適用できる。
【００１０】
【発明の実施形態】
以下、本発明の実施例を図面に基づいて説明すると、先ず図１は、本発明の本発明の第１実施形態における２枚の扉パネルの下レール構造を用いた吊戸の全体像を示す正面図であり、（ａ）は、吊戸が閉じた状態を示す正面図であり、（ｂ）は、開いた状態を示す正面図である。図２は、２枚の扉パネルの下レール構造の図１（ｂ）におけるＡ−Ａ側断面図である。
【００１１】
図１の符号１は、本発明の扉パネルの下レール構造を用いた吊戸であり、この吊戸１は、左扉パネル２と右扉パネル３の２枚の扉パネルで構成されており、これら両扉パネル２、３は、図２に示すように、天井４に固定されている２列の上レール５、６によって、吊り下げ支持されている。
【００１２】
これら上レール５、６は、下方が開口されている断面が略Ｃ字状に形成されており、両扉パネル２、３の上端に取り付けられている回転自在のローラ７、８が上レール５、６の内部に配置されていることによって、両扉パネル２、３は、上レール５、６の長手方向に沿って、自在に移動させることができるので、図１（ａ）に示すように、吊戸１を閉じた状態にさせることができるとともに、（ｂ）に示すように、吊戸１を開いた状態にさせることができるようになっている。
【００１３】
図１に示すように、それぞれの扉パネル２、３の正面側の下端には、幅方向に亘って下レール構造としてのガイドレール９、１０が取り付けられており、このガイドレール９、１０は、アルミニウム等の材質で構成されている。左扉パネル２に取り付けられているガイドレール９は、図２に示すように、側面視で上方が開口する略コ字状を成し、レール条１１がガイドレール９の長手方向に沿って形成されているので、右扉パネル３の下端をガイドレール９に遊嵌させることができる。
【００１４】
右扉パネル３に取り付けられているガイドレール１０は、側面視で下方が開口する略コ字状をしており、このガイドレール１０には、左扉パネル２のガイドレール９のレール条１１が遊嵌されることで、ガイドレール９、１０同士は、互いに長手方向に対して摺動自在に嵌合されるようになっている。
【００１５】
扉パネル２、３同士は、下端が互いにガイドレール９、１０によって摺動自在に嵌合されていることで、床面１２に案内支持のためのものは何ら構築する必要がなく、摺動案内の際の吊戸１の揺れも扉パネル２、３同士の重量で抑止されるようになっている。
【００１６】
また、図２に示すように、ガイドレール１０の内部には、長手方向に沿って延びる滑動スペーサ１３が固着されており、ガイドレール９のレール条１１と当接されるようになっている。この滑動スペーサ１３は、合成樹脂等の材質で形成されているので、両ガイドレール９、１０は、吊戸１の開閉の際に、扉パネル２、３同士の摺動ガタをなくすばかりか、相互の摺動摩擦を低減できるようになっている。
【００１７】
図１（ａ）に示すように、左扉パネル２の正面側右端部には、凸片１４ａ、１４ｂが形成されており、右扉パネル３の背面側左端部には、凸片１５ａ、１５ｂが形成されている。図２に示すように、凸片１４ａと凸片１５ａ、凸片１４ｂと凸片１５ｂが係止されるように配置されていることで、吊戸１を閉じた際に、両扉パネル２、３の端部を重なった状態に保つことができるので、両ガイドレール９、１０の嵌合が外れないようになり、吊戸１の揺れが抑止できるようになっている。
【００１８】
次に、第２実施形態に係る２枚の扉パネルの下レール構造につき、図３から図４を参照して説明する。
【００１９】
図３は、第２実施形態における２枚の扉パネルの下レール構造を用いた吊戸の全体像を示す正面図であり、（ａ）は、吊戸が閉じた状態を示す正面図であり、（ｂ）は、開いた状態を示す正面図である。図４は、２枚の扉パネルの下レール構造の図３（ｂ）におけるＢ−Ｂ側断面図である。
【００２０】
図３の吊戸１６は、左扉パネル１７と右扉パネル１８の２枚の扉パネルで構成されており、左扉パネル１７は、天井１９と床面２０に固定されて、右扉パネル１８の戸袋になっている。右扉パネル１８は、天井１９に固定されている一本の上レール２１によって、吊り下げ支持されている。
【００２１】
上レール２１は、図４に示すように、下方が開口されている断面が略Ｃ字状に形成されており、右扉パネル１８の上端に取り付けられている回転自在のローラ２２が、上レール２１の内部に配置されていることによって、右扉パネル１８は、上レール２１の長手方向に沿って、自在に移動させることができるので、図３（ａ）に示すように、吊戸１６を閉じた状態にさせることができるとともに、（ｂ）に示すように、吊戸１６を開いた状態にさせることができるようになっている。
【００２２】
右扉パネル１８の下端と戸袋のごとき左扉パネル１７の正面側の下部には、幅方向に亘って下レール構造としてのガイドレール２３、２４が取り付けられており、このガイドレール２３、２４は、アルミニウム等の材質で構成されている。
【００２３】
左扉パネル１７に取り付けられているガイドレール２３は、図４に示すように、側面視で上方が開口する略コ字状を成し、レール条２５がガイドレール２３の長手方向に沿って形成されているので、右扉パネル１８の下端をガイドレール２３に遊嵌させることができる。
【００２４】
右扉パネル１８に取り付けられているガイドレール２４は、側面視で下方が開口する略コ字状をしており、このガイドレール２４には、左扉パネル１７のガイドレール２３のレール条２５が遊嵌されることで、ガイドレール２３、２４同士は、互いに長手方向に対して摺動自在に嵌合されるようになっている。
【００２５】
右扉パネル１８は、下端がガイドレール２３、２４によって摺動案内されていることで、床面２０に案内支持のためのものは何ら構築する必要がなく、摺動案内の際の右扉パネル１８の揺れも左扉パネル１７が固定されていることによって、一層抑止されるようになっている。
【００２６】
また、図４に示すように、ガイドレール２４の内部には、長手方向に沿って延びる滑動スペーサ２６が固着されており、ガイドレール２３のレール条２５と当接されるようになっている。この滑動スペーサ２６は、合成樹脂等の材質で形成されているので、両ガイドレール２３、２４は、右扉パネル１８の開閉の際に、右扉パネル１８の摺動ガタをなくすばかりか、両ガイドレール２３、２４同士の摺動摩擦を低減できるようになっている。
【００２７】
図３（ａ）に示すように、左扉パネル１７の正面側右端部には、凸片２７ａ、２７ｂが形成されており、右扉パネル１８の背面側左端部には、凸片２８ａ、２８ｂが形成されている。図４に示すように、凸片２７ａと凸片２８ａ、凸片２７ｂと凸片２８ｂが係止されるように配置されていることで、右扉パネル１８を閉じた際に、両扉パネル１７、１８の端部を重なった状態に保つことができるので、両ガイドレール２３、２４の嵌合が外れることはなく、右扉パネル１８の揺れも固定の左扉パネル１７によって抑止できるようになっている。
【００２８】
次に、第３実施形態に係る３枚の扉パネルの下レール構造につき、図５から図６を参照して説明する。
【００２９】
図５は、第３実施形態における３枚の扉パネルの下レール構造を用いた吊戸の全体像を示す正面図であり、（ａ）は、吊戸が閉じた状態を示す正面図であり、（ｂ）は、開いた状態を示す正面図である。図６は、３枚の扉パネルの下レール構造の図５（ｂ）におけるＣ−Ｃ側断面図である。
【００３０】
図５の吊戸２９は、左扉パネル３０と中扉パネル３１と右扉パネル３２の３枚の扉パネルで構成されており、これら３枚の扉パネル３０、３１、３２は、図６に示すように、天井３３に固定されている３列の上レール３４、３５、３６によって、吊り下げ支持されている。
【００３１】
これら上レール３４、３５、３６は、下方が開口されている断面が略Ｃ字状に形成されており、扉パネル３０、３１、３２の上端に取り付けられている回転自在のローラ３７、３８、３９が上レール３４、３５、３６の内部に配置されていることによって、３枚の扉パネル３０、３１、３２は、上レール３４、３５、３６の長手方向に沿って、各々自在に移動させることができるので、図５（ａ）に示すように、吊戸２９を閉じた状態にさせることができるとともに、（ｂ）に示すように、吊戸２９を開いた状態にさせることができるようになっている。
【００３２】
図６に示すように、それぞれの扉パネル３０、３１、３２の下端には、幅方向に亘って下レール構造としてのガイドレール４０、４１、４２、４３が取り付けられており、このガイドレール４０、４１、４２、４３は、アルミニウム等の材質で構成されている。
【００３３】
中扉パネル３１には、正面側と背面側の下端にガイドレール４１、４２が取り付けられており、これらガイドレール４１、４２は、側面視で上方が開口する略コ字状を成し、レール条４４、４５がガイドレール４１、４２の長手方向に沿って形成されているので、左扉パネル３０と右扉パネル３２の各々の下端をガイドレール４１とガイドレール４２に、それぞれ遊嵌させることができる。
【００３４】
左右の両扉パネル３０、３２に取り付けられているガイドレール４０、４３は、側面視で下方が開口する略コ字状をしており、これらガイドレール４０、４３には、中扉パネル３１のガイドレール４１、４２のレール条４４、４５が遊嵌されることで、ガイドレール４０、４１、４２、４３同士は、互いに長手方向に対して摺動自在に嵌合されるようになっている。
【００３５】
これらの扉パネル３０、３１、３２同士は、下端が互いにガイドレール４０、４１、４２、４３によって摺動自在に嵌合されていることで、床面４６に案内支持のためのものは何ら構築する必要がなく、摺動案内の際の吊戸２９の揺れも扉パネル３０、３１、３２同士の重量で抑止されるようになっている。
【００３６】
また、図６に示すように、ガイドレール４０、４３の内部には、長手方向に沿って延びる滑動スペーサ４７、４８が固着されており、それぞれの滑動スペーサ４７、４８がガイドレール４１、４２のレール条４４、４５と当接されるようになっている。この滑動スペーサ４７、４８は、合成樹脂等の材質で形成されているので、これらガイドレール４０、４１、４２、４３は、吊戸２９の開閉の際に、扉パネル３０、３１、３２同士の摺動ガタをなくすばかりか、相互の摺動摩擦を低減できるようになっている。
【００３７】
図５（ａ）に示すように、中扉パネル３１正面側の右側端部には、凸片４９ａ、４９ｂが形成されており、右扉パネル３２の背面側の左側端部には、凸片５０ａ、５０ｂが形成されている。図６に示すように、吊戸２９を閉じた際に、凸片４９ａと凸片５０ａが係止されるように配置されており、凸片４９ｂと５０ｂが係止されるように配置されている。
【００３８】
中扉パネル３１背面側の左側端部にも同様の凸片５１ａ、５１ｂが形成されており、図６に示すように、吊戸２９を閉じた際に、左扉パネル３０の正面側の右側端部に形成されている凸片５２ａ、５２ｂが係止されるように配置されている。
【００３９】
そのため吊戸２９を閉じた際に、３枚の扉パネル３０、３１、３２の端部を互いに重ねた状態に保つことができるので、それぞれのガイドレール４０、４１、４２、４３の嵌合が外れないようになり、吊戸２９の揺れが抑止できるようになっている。
【００４０】
以上、本発明の実施例を図面により説明してきたが、具体的な構成はこれら実施例に限られるものではなく、本発明の要旨を逸脱しない範囲における変更や追加があっても本発明に含まれる。
【００４１】
例えば、上記実施例では天井と床面に設置されている部屋の間仕切りとしての吊戸について説明してきたが、本発明の複数の扉パネルの下レール構造は、扉付きのキャビネット等の家具類の扉にも用いることができる。複数の扉パネルの下レール構造を家具の扉に備えることによって、家具内部の下面に加工を施さない扉パネルとして適用できるようになる。
【００４２】
また、上記実施例では２枚及び３枚の扉パネルについて説明してきたが、本発明の複数の扉パネルの下レール構造は、その他の枚数の扉パネルにおいても同様に用いることができる。
【００４３】
【発明の効果】
本発明は以下の効果を奏する。
（ａ）請求項１に記載の発明によれば、吊戸の下端は他の扉パネルの下端とガイドレールによって摺動自在に嵌合しているので、床面に案内支持のためのものは何ら構築する必要がなく、吊戸の揺れも他の扉パネルの重量で抑止される。
【００４４】
（ｂ）請求項２に記載の発明によれば、戸袋のごとき固定の扉パネルと吊戸の関係においても適用でき、吊戸の揺れは固定の扉パネルにより、一層抑止される。
【００４５】
（ｃ）請求項３に記載の発明によれば、扉パネル同士の摺動ガタをなくし、相互の摺動摩擦を低減できる。
【００４６】
（ｄ）請求項４に記載の発明によれば、部屋の間仕切り扉だけでなく扉付きのキャビネット等の家具類の扉にも、下面に加工を施さない吊戸を有する扉パネルとして適用できる。
【図面の簡単な説明】
【図１】本発明の第１実施形態における２枚の扉パネルの下レール構造を用いた吊戸の全体像を示す正面図であり、（ａ）は、吊戸が閉じた状態を示す正面図であり、（ｂ）は、開いた状態を示す正面図である。
【図２】図１（ｂ）における２枚の扉パネルの下レール構造のＡ−Ａ側断面図である。
【図３】（ａ）は、第２実施形態における吊戸が閉じた状態を示す正面図であり、（ｂ）は、開いた状態を示す正面図である。
【図４】図３（ｂ）における２枚の扉パネルの下レール構造のＢ−Ｂ側断面図である。
【図５】（ａ）は、第３実施形態における吊戸が閉じた状態を示す正面図であり、（ｂ）は、開いた状態を示す正面図である。
【図６】図５（ｂ）における３枚の扉パネルの下レール構造のＣ−Ｃ側断面図である。
【符号の説明】
１              吊戸
２              左扉パネル
３              右扉パネル
４              天井
５、６          上レール
７、８          ローラ
９、１０        ガイドレール
１１            レール条
１２            床面
１３            滑動スペーサ
１４ａ、１４ｂ  凸片
１５ａ、１５ｂ  凸片
１６            吊戸
１７            左扉パネル
１８            右扉パネル
１９            天井
２０            床面
２１            上レール
２２            ローラ
２３、２４      ガイドレール
２５            レール条
２６            滑動スペーサ
２７ａ、２７ｂ  凸片
２８ａ、２８ｂ  凸片
２９            吊戸
３０            左扉パネル
３１            中扉パネル
３２            右扉パネル
３３            天井
３４、３５      上レール
３６            上レール
３７、３８      ローラ
３９            ローラ
４０、４１      ガイドレール
４２、４３      ガイドレール
４４、４５      レール条
４６            床面
４７、４８      滑動スペーサ
４９ａ、４９ｂ  凸片
５０ａ、５０ｂ  凸片
５１ａ、５１ｂ  凸片
５２ａ、５２ｂ  凸片
【図１】
2004238819.tif 000003
【図２】
2004238819.tif 000004
【図３】
2004238819.tif 000005
【図４】
2004238819.tif 000006
【図５】
2004238819.tif 000007
【図６】
2004238819.tif 000008